(57)【要約】【課題】複数の被挿通部材を相互に干渉させることなく挿通させる配管部材を提供する。【解決手段】軸方向に延びる両端開口の貫通穴ａを有する部材からなり、この貫通穴５ａに被挿通部材２、３を挿通させる配管部材５において、貫通穴５ａを配管部材５の軸方向に沿って延びる複数の挿通路に仕切り、各挿通路に被挿通部材２、３を挿通させるようにした。【選択図】      図２
2004162954.tif 000002
【特許請求の範囲】
【請求項１】
軸方向に延びる両端開口の貫通穴を有する部材からなり、該貫通穴に被挿通部材を挿通させる配管部材において、前記貫通穴を配管部材の軸方向に沿って延びる複数の挿通路に仕切り、各挿通路に被挿通部材を挿通させるようにしたことを特徴とする配管部材。
【請求項２】
前記貫通穴の仕切りを着脱自在に形成したことを特徴とする請求項１に記載の配管部材。
【請求項３】
軸方向に延びる両端開口の貫通穴を有する部材からなり、該貫通穴に被挿通部材を挿通させる配管部材において、前記貫通穴内に前記配管部材の軸方向に延びる補助配管部材を設けることによって該補助配管部材と前記貫通穴とで該貫通穴内に複数の挿通路を形成し、各挿通路に被挿通部材を挿通させるようにしたことを特徴とする配管部材。
【請求項４】
軸方向に延びる両端開口の貫通穴を有する部材からなり、該貫通穴に被挿通部材を挿通させる配管部材において、該貫通穴の内壁に前記配管部材の軸方向に延びる独立した挿通路を一体的に形成し、該挿通路と前記貫通穴とで該貫通穴内に複数の挿通路を形成し、各挿通路に被挿通部材を挿通させるようにしたことを特徴とする配管部材。
【請求項５】
前記挿通路の断面形状を略円形、略楕円形に形成したことを特徴とする請求項４に記載された配管部材。
【請求項６】
軸方向に延びる両端開口の貫通穴を有する部材からなり、該貫通穴に被挿通部材を挿通させる配管部材において、前記貫通穴を配管部材と一体的に形成された平坦な仕切板で仕切ることにより前記貫通穴内をそれぞれ配管部材の軸方向に延びる２つの挿通路に仕切り、各挿通路に第１及び第２の被挿通部材を挿通させるようにしたことを特徴とする配管部材。
【請求項７】
前記仕切板を貫通穴より着脱自在に形成したことを特徴とする請求項６に記載された配管部材。
【請求項８】
前記仕切板の両側辺を貫通穴の内壁に設けたガイドリブに挿入することにより前記仕切板を貫通穴に着脱自在に形成したことを特徴とする請求項６に記載された配管部材。
【請求項９】
軸方向に延びる両端開口の貫通穴を有する部材からなり、該貫通穴に被挿通部材を挿通させる配管部材において、該配管部材の外壁に前記貫通穴に沿って延びる独立した挿通路を一体的に形成し、該挿通路と前記貫通穴とで前記配管部材に複数の挿通路を形成し、各挿通路に被挿通部材を挿通させるようにしたことを特徴とする配管部材。
【請求項１０】
軸方向に延びる両端開口の貫通穴を有する部材からなり、該貫通穴に被挿通部材を挿通させる配管部材において、該配管部材の外壁を窪ませた形状にすることによって前記貫通穴をそれぞれ軸方向に延びる複数の挿通路に仕切り、各挿通路に被挿通部材を挿通させるようにしたことを特徴とする配管部材。
【請求項１１】
前記配管部材の両端開口に着脱自在な蓋体を設け、該蓋体で蓋閉めされるようにしたこと特徴とする請求項１〜請求項１０のいずれかに記載された配管部材。
【請求項１２】
前記蓋体の板面に切断線を設け、該切断線に沿って前記蓋体を複数に切断することによって前記複数の挿通路を選択的に蓋閉めするようにしたこと特徴とする請求項１１に記載された配管部材。
【請求項１３】
配管パイプ、ドレンホース等の被挿通部材を家屋の壁に貫挿した配管部材を挿通させて室外ユニットと室内ユニットとを接続させるようにした空気調和機において、前記配管部材を複数の挿通路を有する部材で形成し、これら複数の挿通路の一部に前記配管パイプ、ドレンホース等の第１の被挿通部材を挿通させるとともに他の挿通路にアンテナのアンテナ線等の第２の被挿通部材を挿通させるようにしたことを特徴とする空気調和機。
【請求項１４】
前記室内ユニットの側壁の板面に切断線を設け、該切断線を以て前記側壁の板面を切除することによって欠損部を形成し、該欠損部で前記第１の被挿通部材及び／又は第２の被挿通部材を前記側壁を挿通させるようにしたことを特徴とする請求項１３に記載された空気調和機。
【請求項１５】
前記室内ユニットの背面側における側壁の板面に第１の切断線と該第１の切断線で取り囲まれる第２の切断線を設け、前記第１の切断線を以て前記側壁の板面を切除することによって形成される第１の欠損部で前記第１及び第２の両被挿通部材を前記側壁を挿通させるようにし、また、前記第２の切断線を以て前記側壁の板面を切除することによって形成される第２の欠損部で前記第２の被挿通部材を前記側壁を挿通させるようにしたことを特徴とする請求項１３に記載された空気調和機。
【発明の詳細な説明】
【０００１】
【発明の属する技術分野】
本発明は配管部材とこの配管部材を使用した空気調和機に関すものである。
【０００２】
【従来の技術】
従来のこの種の配管部材を図１６〜図１８を参照して説明する。これらの図は、空気調和機用の配管パイプを家屋の壁１３に貫通させる配管部材を示しており、これらの図において、配管部材１１は金属や合成樹脂等の部材を１つの貫通穴１２を有する円筒体に形成したものである。
【０００３】
そして、この配管部材１１は家屋の壁１３に貫着されているが、その内部には、特に図１８に示すように空気調和機（図示せず）の室外機より導出された２本の配管パイプ１４、１５、ドレンホース１６及び各種連絡線１７を包帯部材１８で束ねた被挿通部材としての集合体１９を挿通している。
【０００４】
【特許文献１】
特開平５−１５７２７２号公報
【特許文献２】
特開平１０−１４８３６０号公報
【０００５】
【発明が解決しようとする課題】
最近、ＢＳ或いはＣＳ放送受信用の映像機器を備えている一般家庭が増えているが、そのような家屋において室外に取り付けたＢＳ或いはＣＳ用等のアンテナからのアンテナ線を室内に引き込むための専用の引込口を備えている家屋は少ない。
【０００６】
このような家屋においてアンテナ線を室内に引き込むに当たっては、新たに壁に穴を開ける必要がない等の理由から、空気調和機の室内及び室外ユニットを接続する配管パイプ及びドレンホース等を室内から室外に通す壁の貫通穴を利用することが多いが、従来の配管部材１１では、上記のように１つの貫通穴を備えているに過ぎないことから、一旦空気調和機を設置して上記配管パイプ１４、１５、ドレンホース１６及び各種連絡線１７等からなる集合体１９を配管部材１１に挿通させている場合、アンテナ線を容易に挿通させることは難しく、必ず空気調和機を取り外すと共に配管部材１１より集合体１９を抜脱した上で再度アンテナ線共々集合体を配管部材に挿通させる必要があった。
【０００７】
また反対に、配管部材１１にアンテナ線のみを挿通させているときに、空気調和機の集合体１９を挿通させる場合においても、アンテナ線と集合体１９が互いに干渉仕合って作業性が非常に悪いとの問題があった。
【０００８】
【課題を解決するための手段】
本発明は、上述のような従来の問題点に着目して発明されたものであり、配管部材の貫通穴内を軸方向に沿って延びる複数の挿通路に仕切り、これら各挿通路に異なる被挿通部材を挿通させることによって、各被挿通部材が互いに干渉仕合うことのない配管部材及びこの配管部材を使用した空気調和機を提供することを目的とするものである。以下、その具体的な構成を説明する。
【０００９】
本発明の配管部材は、軸方向に延びる両端開口の貫通穴を有する部材からなり、該貫通穴に被挿通部材を挿通させる配管部材において、上記貫通穴を配管部材の軸方向に沿って延びる複数の挿通路に仕切り、各挿通路に被挿通部材を挿通させるようにしたことを特徴とする。
【００１０】
このような構成にすることによって、複数の被挿通部材を互いに干渉することがないように配管部材内に独立して挿通させることができることから、配管部材内に複数の被挿通部材を容易に挿脱することができる。
【００１１】
又、本発明の配管部材は、軸方向に延びる両端開口の貫通穴を有する部材からなり、該貫通穴に被挿通部材を挿通させる配管部材において、上記貫通穴内に上記配管部材の軸方向に延びる補助配管部材を設けることによって該補助配管部材と上記貫通穴とで該貫通穴内に複数の挿通路を形成し、各挿通路に被挿通部材を挿通させるようにしたことを特徴とする。
【００１２】
このような構成にすることによって、複数の被挿通部材を互いに干渉することがないように配管部材内に独立して挿通させることができることから、配管部材内に複数の被挿通部材を容易に挿脱することができる。
【００１３】
特に、配管部材内に補助配管部材を挿入するようにしたことで、例えば、被挿通部材が２つであって、第１の被挿通部材の方の直径が大きい場合或いは第２の被挿通部材を通さない場合には、上記補助配管部材を配管部材より取り外すことによって第１の被挿通部材のみを通す等の対応をすることができ、極めて使い勝手の良い配管部材を提供することができる。
【００１４】
又、本発明の配管部材は、軸方向に延びる両端開口の貫通穴を有する部材からなり、該貫通穴に被挿通部材を挿通させる配管部材において、該貫通穴の内壁に上記配管部材の軸方向に延びる独立した挿通路を一体的に形成し、該挿通路と上記貫通穴とで該貫通穴内に複数の挿通路を形成し、各挿通路に被挿通部材を挿通させるようにしたことを特徴とする。
【００１５】
このような構成にすることによって、複数の被挿通部材を互いに干渉することがないように配管部材内に独立して挿通させることができることから、配管部材内に複数の被挿通部材を容易に挿脱することができる。
【００１６】
しかも、この発明では配管部材の形成時に該配管部材を複数の挿通路を有する構造に、例えば、成型加工等にて一体形成できることから、極めて簡単に、しかも原価安に製造することができる。
【００１７】
又、本発明の配管部材は、軸方向に延びる両端開口の貫通穴を有する部材からなり、該貫通穴に被挿通部材を挿通させる配管部材において、上記貫通穴を半径方向において配管部材と一体的に形成された平坦な仕切り板で仕切ることにより上記貫通穴内をそれぞれ配管部材の軸方向に延びる２つの挿通路に仕切り、各挿通路に第１及び第２の被挿通部材を挿通させるようにしたことを特徴とする。
【００１８】
このような構成にすることによって、複数の被挿通部材を互いに干渉することがないように配管部材内に独立して挿通させることができることから、配管部材内に複数の被挿通部材を容易に挿脱することができる。
【００１９】
しかも、この発明では、配管部材の形成時に貫通穴を半径方向において仕切るように貫通穴内に仕切り板を一体的に形成することによって配管部材を複数の挿通路を有する構造にしていることから、配管部材を極めて簡単に、しかも原価安に製造することができる。
【００２０】
又、本発明の配管部材は、軸方向に延びる両端開口の貫通穴を有する部材からなり、該貫通穴に被挿通部材を挿通させる配管部材において、該配管部材の外壁に上記貫通穴に沿って延びる独立した挿通路を一体的に形成し、該挿通路と上記貫通穴とで上記配管部材に複数の挿通路を形成し、各挿通路に被挿通部材を挿通させるようにしたことを特徴とする。
【００２１】
このような構成にすることによって、複数の被挿通部材を互いに干渉することがないように配管部材に独立して挿通させることができることから、配管部材に複数の被挿通部材を容易に挿脱することができる。
【００２２】
又、本発明の配管部材は、軸方向に延びる両端開口の貫通穴を有する部材からなり、該貫通穴に被挿通部材を挿通させる配管部材において、該配管部材の外壁を窪ませた形状にすることによって上記貫通穴をそれぞれ軸方向に延びる複数の挿通路に仕切り、各挿通路に被挿通部材を挿通させるようにしたことを特徴とする。
【００２３】
このような構成にすることによって、複数の被挿通部材を互いに干渉することがないように配管部材に独立して挿通させることができることから、配管部材に複数の被挿通部材を容易に挿脱することができる。
【００２４】
しかも、この発明では、配管部材の形成時に該配管部材の外壁を窪ませた形状にすることによって上記貫通穴を複数の挿通路を有する構造にしていることから、極めて簡単に、しかも原価安に製造することができる。
【００２５】
又、本発明の配管部材は、上記した配管部材の両端開口に着脱自在な蓋体を設け、該蓋体で蓋閉めされるようにしたこと特徴とする。
【００２６】
このような構成にすることによって、配管部材に被挿通部材を挿通しないときに、配管部材を蓋体で蓋閉めすることができ、屋外より部屋内に虫やゴミが侵入するのを防止できる。
【００２７】
又、本発明の配管部材は、上記した蓋体の板面に切断線を設け、該切断線に沿って上記蓋体を２つに切断することによって、それぞれ分割した蓋体部分で２つの挿通路を選択的に蓋閉めするようにしたこと特徴とする。
【００２８】
このような構成にすることによって、配管部材に被挿通部材を挿通しないときに配管部材を蓋体で蓋閉めすることができ、屋外より部屋内に虫やゴミが侵入するのを防止できる。
【００２９】
しかも、本発明の配管部材に適用される蓋体では、切断線に沿って蓋体を複数に切断することによって、それぞれ分割した蓋体部分で複数の挿通路を選択的に蓋閉めできるので、被挿通部材を挿通していない方の挿通路を分割した蓋体部分で蓋閉めすることにより、この被挿通部材を挿通していない方の挿通路から虫やゴミが侵入するのを防止できる。
【００３０】
又、本発明の空気調和機は、配管パイプ、ドレンホース等の被挿通部材を家屋の壁に貫挿した配管部材を挿通させて室外ユニットと室内ユニットとを接続させるようにした空気調和機において、上記配管部材を複数の挿通路を有する部材で形成し、これら複数の挿通路の一部に上記配管パイプ、ドレンホース等の第１の被挿通部材を挿通させるとともに他の挿通路にアンテナのアンテナ線等の第２の被挿通部材を挿通させるようにしたことを特徴とする。
【００３１】
このような構成にすることによって、複数の被挿通部材を互いに干渉することがないように家屋の壁に挿通された配管部材に独立して挿通させることができることから、配管部材に複数の被挿通部材を容易に挿脱することができる空気調和機を提供することができる。
【００３２】
又、本発明の空気調和機は、上記室内ユニットの側壁の板面に切断線を設け、該切断線を以て上記側壁の板面を切除することによって欠損部を形成し、該欠損部で上記第１の被挿通部材及び／又は第２の被挿通部材を上記側壁を挿通させるようにしたことを特徴とする。
【００３３】
このような構成にすることによって、複数の被挿通部材を互いに干渉することがないように家屋の壁に挿通された配管部材に独立して挿通させることができることから配管部材に複数の被挿通部材を容易に挿脱することができる空気調和機を提供することができる。
【００３４】
しかも、本発明の空気調和機では、その室内ユニットの背面側の側壁面に切断線を設け、この切断線を以て側壁の板面を切除することによって欠損部を形成し、この欠損部で第１の被挿通部材及び／又は第２の被挿通部材を側壁を挿通させるようにしているので、室内ユニットの背面側において、該室内ユニットの側壁に邪魔されることなく被挿通部材を延長させせることができる。
【００３５】
又、本発明の空気調和機は、上記室内ユニットの背面側における側壁の板面に第１の切断線と該第１の切断線で取り囲まれる第２の切断線を設け、上記第１の切断線を以て上記側壁の板面を切除することによって形成される第１の欠損部で上記第１及び第２の両被挿通部材を上記側壁を挿通させるようにし、また、上記第２の切断線を以て上記側壁の板面を切除することによって形成される第２の欠損部で上記第２の被挿通部材を上記側壁を挿通させるようにしたことを特徴とする。
【００３６】
このような構成にすることによって、複数の被挿通部材を互いに干渉することがないように家屋の壁に挿通された配管部材に独立して挿通させることができることから配管部材に複数の被挿通部材を容易に挿脱することができる空気調和機を提供することができる。
【００３７】
しかも、室内ユニットの背面側における側壁の板面に第１の切断線とこの第１の切断線で取り囲まれる第２の切断線を設け、第１の切断線を以て側壁の板面を切除することによって形成される第１の欠損部で第１及び第２の両被挿通部材を側壁を挿通させるようにし、また、第２の切断線を以て側壁の板面を切除することによって形成される第２の欠損部で第２の被挿通部材を上記側壁を挿通させるようにしていることから、室内ユニットの背面側において、該室内ユニットの側壁に邪魔されることなく第１及び／又は第２の両被挿通部材を延長させせることができる。
【００３８】
【発明の実施の形態】
以下、本発明の実施形態を図面に従って詳細に説明する。
【００３９】
〔第１の実施形態〕
図１は、本発明の第１の実施形態に係る配管部材を使用している空気調和機の室内ユニットと当該配管部材の関係を示す概略斜視図である。
【００４０】
この図において、１は空気調和機の室内ユニットであり、これより導出された配管パイプ２ａ、ドレンホース２ｂ及び連絡線等２ｃを含む空気調和機の第１の被挿通部材２とＢＳ或いはＣＳ用のアンテナからのアンテナ線（以下、第２の被挿通部材という）３を家屋の壁４に貫挿した配管部材５を通して屋外に導出している。
【００４１】
図２は、この配管部材５と該配管部材５に挿通されている第１の被挿通部材２と第２の被挿通部材３との関係を示す断面図である。
【００４２】
この図において、上記配管部材５は金属或いはプラステイック等の合成樹脂材料を両端開口の貫通穴５ａを有するように形成した筒状体よりなるもので、その内部に図に示すように貫通穴５ａより小径で配管部材５と同様の材料で形成された補助配管部材６を配管部材５の軸方向に沿って挿入している。
【００４３】
その結果、上記貫通穴５ａ内に該貫通穴５ａと補助配管部材６とで２つの挿通路を形成している。
【００４４】
このように形成される配管部材５に対して、貫通穴５ａには上記第１の被挿通部材２が挿通され、また補助配管部材６内には上記第２の被挿通部材３であるアンテナ線が挿通されている。
【００４５】
尚、上記第１の被挿通部材２は、２本の配管パイプ２ａ、ドレンホース２ｂ及び連絡線等２ｃを束ねたものを薄肉チューブ又はテープ等の被服部材７にて被服したものである。この実施形態の発明では、軸方向に延びる両端開口の貫通穴５ａを有する配管部材５に係る貫通穴５ａ内に補助配管部材６を軸方向に沿って設けることで貫通穴５ａを複数の挿通路に仕切り、各挿通路に第１、第２の被挿通部材２及び３をそれぞれ挿通させるようにしたものであり、このように構成することにより、第１、第２の被挿通部材２及び３を互いに干渉することがないように配管部材５内に独立して挿通させることができることから、配管部材５内に両被挿通部材２及び３を容易に挿脱することができる。
【００４６】
特に、上記図２に示すように配管部材５内に補助配管部材６を挿入するようにした構成では、配管パイプ２ａ、ドレンホース２ｂ及び連絡線等２ｃから成る第１の被挿通部材２の直径が大きい場合或いは第２の被挿通部材３であるアンテナ線を通さない場合には、上記補助配管部材６を配管部材５より取り外すことによって対応することができる。
【００４７】
〔第２の実施形態〕
図３は、本発明の第２の実施形態に係る配管部材５に第１の被挿通部材２と第２の被挿通部材３とを挿通した状態を示す断面図である。
【００４８】
この実施形態では、上記第１の実施形態の補助配管部材６に替えて配管部材５の貫通穴５ａの内壁面に配管部材５の軸方向に延びる独立した管状部５ｂを一体的に形成して貫通穴５ａ内に該貫通穴５ａと独立した挿通路を設けた構成となっている。
【００４９】
そして、このような構成において、貫通穴５ａ内に上記第１の被挿通部材２を挿通させるとともに管状部５ｂ内に第２の被挿通部材３を挿通させている。
【００５０】
この実施形態の本発明では、軸方向に延びる両端開口の貫通穴５ａを有する配管部材５に係る貫通穴５ａの内壁に軸方向に延びる管状部５ｂを一体的に形成して設けることで貫通穴５ａ内を複数の挿通路に仕切り、各挿通路に第１、第２の被挿通部材２及び３をそれぞれ挿通させるようにしたものであり、このように構成にすることにより、第１、第２の被挿通部材２及び３を互いに干渉することがないように配管部材５内に独立して挿通させることができることから、配管部材５内に両被挿通部材２及び３を容易に挿脱することができる。
【００５１】
〔第３の実施形態〕
図４は、本発明の第３の実施形態に係る配管部材５に第１の被挿通部材２と第２の被挿通部材３とを挿通した状態を示す断面図である。
【００５２】
この実施形態の本発明は、上記第２の実施形態では貫通穴５ａの内壁に断面円形の管状部５ｂから成る挿通路を形成しているのに対して、貫通穴５ａの内壁に配管部材５の軸方向に延びる断面が円弧状の仕切り壁５ｃを一体的に形成し、上記貫通穴５ａ内に該貫通穴５ａと独立した挿通路を設けた構成となっている。
【００５３】
そして、このような構成において、貫通穴５ａ内に上記第１の被挿通部材２を挿通させるとともに仕切り壁５ｃで形成される挿通路内に第２の被挿通部材３を挿通させることになる。
【００５４】
従って、この第３の実施形態の本発明においても、上記第２の実施形態と同様に、第１、第２の被挿通部材２及び３を互いに干渉することがないように配管部材５内に独立して挿通させることができることから、配管部材５内に両被挿通部材２及び３を容易に挿脱することができる。
【００５５】
この実施形態の仕切り壁５は円弧状に形成されているので、貫通穴５ａ内において上記第１の被挿通部材２を円滑に挿通させることができる。
【００５６】
〔第４の実施形態〕
図５は、本発明の第４の実施形態に係る配管部材５に第１の被挿通部材２と第２の被挿通部材３とを挿通した状態を示す断面図である。
【００５７】
この実施形態の本発明では、上記配管部材５の貫通穴５ａを半径方向において配管部材５と一体的に形成された平坦な仕切り板５ｄで仕切ることにより、上記貫通穴５ａ内を該貫通穴５ａと同方向に延びる２つの挿通路に仕切り、各挿通路に第１及び第２の被挿通部材２及び３を挿通させるようにしている。
【００５８】
このように構成にすることにより、上記各実施形態の本発明と同様に、第１、第２の被挿通部材２及び３を互いに干渉することがないように配管部材５内に独立して挿通させることができることから、配管部材５内に両被挿通部材２及び３を容易に挿脱することができる。
【００５９】
特に、この実施形態では、貫通穴５ａ内を平坦な仕切り板で仕切っているため、第１の被挿通部材２を安定して保持できる。
【００６０】
〔第５の実施形態〕
図６は、本発明の第５の実施形態に係る配管部材５に第１の被挿通部材２と第２の被挿通部材３とを挿通した状態を示す断面図である。
【００６１】
この実施形態の本発明では、上記第４の実施形態の仕切り板５ｄを配管部材５とは別体に形成し、貫通穴５ａ内壁２ケ所に設けた受け溝５ｅ、５ｅに着脱自在に挿入するようにしたものである。
【００６２】
そして、仕切り板５ｄで貫通穴５内を仕切ることにより、上記貫通穴５ａ内を該貫通穴５ａと同方向に延びる２つの挿通路に仕切り、各挿通路に第１及び第２の被挿通部材２及び３を挿通させるようにしている。即ち、仕切り板５ｄと貫通穴５ａの内壁との小さな口径の挿通路には第２の被挿通部材３を挿通させ、又大きい口径の挿通路には第１の被挿通部材２を挿通させている。
【００６３】
このような構成によって、この第５の実施形態の本発明では、第１、第２の被挿通部材２及び３を互いに干渉することがないように配管部材５内に独立して挿通させることができることから、配管部材５内に両被挿通部材２及び３を容易に挿脱することができる。
【００６４】
しかも、配管パイプ２ａ、ドレンホース２ｂ及び連絡線等２ｃから成る第１の被挿通部材２の直径が大きい場合或いは第２の被挿通部材３であるアンテナ線を通さない場合には、上記仕切り板５ｄを配管部材５より取り外すことによって対応することができる。
【００６５】
〔第６の実施形態〕
図７は、本発明の第６の実施形態に係る配管部材５に第１の被挿通部材２と第２の被挿通部材３とを挿通した状態を示す断面図である。
【００６６】
この実施形態の本発明では、図７に示すように、配管部材５をその径方向において、上部の両外側面より水平に窪ませた形状で形成した仕切り壁５ｆによって、配管部材５の貫通穴５ａを実質的に２つの挿通路に仕切った構成としている。
【００６７】
そして、この構成の配管部材５に対して、各挿通路に第１及び第２の被挿通部材２及び３を挿通させるようにしている。即ち、仕切り壁５ｆと貫通穴５ａの内壁との小さな口径の挿通路には第２の被挿通部材３を挿通させ、又大きい口径の挿通路には第１の被挿通部材２を挿通させている。
【００６８】
要するに、この実施形態の本発明では、上記配管部材５の外壁に貫通穴５ａに沿って延びる独立した挿通路を一体的に形成し、この挿通路と上記貫通穴５ａとで上記配管部材５に複数の挿通路を形成し、各挿通路に被挿通部材２、３を挿通させるようにしたものである。
【００６９】
このような構成によって、この第６の実施形態の本発明では、第１、第２の被挿通部材２及び３を互いに干渉することがないように配管部材５内に独立して挿通させることができることから、配管部材５内に両被挿通部材２及び３を容易に挿脱することができる。
【００７０】
〔第７の実施形態〕
図８は、本発明の第７の実施形態に係る配管部材５に第１の被挿通部材２と第２の被挿通部材３とを挿通した状態を示す断面図である。
【００７１】
この実施形態の本発明は、上記第３の実施形態では、貫通穴５ａの内壁に配管部材５の軸方向に延びる断面が円弧状の仕切り壁５ｃを一体的に形成し、上記貫通穴５ａ内に該貫通穴５ａと独立した挿通路を設けた構成となっているのに対して、断面が円弧状の仕切り板５ｇを、その両端部に設けた係合部５ｈ、５ｈで貫通穴５ａの内壁に配管部材５の軸方向に沿って設けた２条の係合片５ｉ、５ｉに係合させることによって、貫通穴５内を２つの挿通路に仕切った構成となっている。
【００７２】
そして、このような構成において、貫通穴５ａ内に仕切り板５ｇで形成される２つの挿通路内に第１及び第２の被挿通部材２、３をそれぞれ挿通させることになる。
【００７３】
従って、この第７の実施形態の本発明においても、第１、第２の被挿通部材２及び３を互いに干渉することがないように配管部材５内に独立して挿通させることができることから、配管部材５内に両被挿通部材２及び３を容易に挿脱することができる。
【００７４】
しかも、この実施形態の本発明では、配管パイプ２ａ、ドレンホース２ｂ及び連絡線等２ｃから成る第１の被挿通部材２の直径が大きい場合或いは第２の被挿通部材３であるアンテナ線を通さない場合には、上記仕切り板５ｄを配管部材５より取り外すことによって対応することができる。
【００７５】
〔第８の実施形態〕
図９〜図１１は上記第１〜第７の実施形態に示した配管部材５の両端開口を蓋閉めする蓋体を示す正面図、背面図及び側面図であり、これらの図に示すように蓋体８は円形の本体板８ａと、該本体板８ａの背面側に本体板８ａと一体的に形成されている円形の環状枠体８ｂとで構成されている。
【００７６】
そして、この環状枠体８ｂは径方向における上部の位置に仕切り桟８ｃを設けることによって開口面積の異なる上下２つの嵌合部８ｄ及び８ｅに仕切られ、また上記本体板８ａは上記仕切り桟８ｃに対向した箇所にミシン目からなる切断線８ｆを設けている。
【００７７】
このように構成される蓋体８は、上記第１〜第７の実施形態に示した配管部材５に第１、第２の被挿通部材２及び３の何れも挿通されていないときには、配管部材５の両端の開口端部に嵌着されることによって配管部材５の各開口端部を閉塞する。
【００７８】
又、上記配管部材５に、第１の被挿通部材２のみが挿通されているときには、蓋体８の本体板８ａを切断線８ｆで切断して蓋体８を嵌合部８ｄ及び８ｅの２つの部分に分割し、そして、開口面積の小さい嵌合部８ｅを第２の被挿通部材３を挿通させる配管部材５の挿通路部分を閉塞するように配管部材５に嵌着する。
【００７９】
又、上記配管部材５に、第２の被挿通部材３のみが挿通されているときには、上記分割した蓋体８の開口面積の大きい嵌合部８ｄを第１の被挿通部材２を挿通させる配管部材５の挿通路部分を閉塞するように配管部材５に嵌着する。
【００８０】
この実施形態の本発明では、配管部材５に第１、第２の被挿通部材２及び３の何れも挿通されていないときには、配管部材５の両端開口に蓋体８を嵌着することによって配管部材５を全体的に蓋閉めして配管部材５に雨水や虫が入るのを防止できる。
【００８１】
又、配管部材５に第１又は第２の被挿通部材２、３の何れか一方のみが挿通されているときには、挿通されていない方の被挿通部材に対応する挿通路に合致する嵌合部８ｄ又は８ｅを配管部材５に嵌着することによって被挿通部材を挿通していない方の挿通路を蓋閉めし、被挿通部材を挿通していない方の挿通路に雨水や虫が入るのを防止することができる。
【００８２】
〔第９の実施形態〕
図１２は、上記第１〜第８の実施形態に示した配管部材５を使用している空気調和機の室内ユニット１の背面斜視図であり、この図は室内ユニット１をその背面から視た場合の左側側壁１ａが家屋（図示せず）の部屋の壁面に近い位置において、背面を以て家屋の壁面に固定された状態を示している。
【００８３】
そして、室内ユニット１は、その背面側の側壁１ａの面に図１３に示すように台形状に描かれたミシン目からなる切断線１ｂを備えており、この切断線１ｂを以て側壁１ａを切除することによって、該側壁１ａに欠損部１ｃを形成することができるようになっている。  この欠損部１ｃは、室内ユニット１と図示していない室外ユニットとを結ぶ上記第１の被挿通部材２を挿通させるために利用することができる。
【００８４】
図１２の状態において、室外ユニットより導出され家屋（図示せず）の壁に設けた配管部材５を挿通した第１の被挿通部材２は家屋の部屋に入った後室内ユニット１の側壁１ａに向かって延長され、そして、室内ユニット１の背面に至って該室内ユニット１に接続される。
【００８５】
そして、このとき、上記第１の被挿通部材２は配管部材５より部屋内に入り室内ユニット１に向かう際、室内ユニット１の上記側壁１ａが邪魔になるが、上記切断線１ｂを以て側壁１ａを切除して欠損部１ｃを形成し、これに第１の被挿通部材２を通すことによって該第１の被挿通部材２を真っすぐに室内ユニット１の背面に延長させることができる。
【００８６】
もし、このとき、上記配管部材５に第１の被挿通部材２と共に第２の被挿通部材３も挿通させている場合には、この第２の被挿通部材３を配管部材５より部屋内に引き出したところで室内ユニット１方向に延長させないで、例えば部屋の壁に沿って下方に向かわせる等の処置を施せば良い。
【００８７】
要するに、この実施形態では、室内ユニット１の背面側において側壁１ａに切断線１ｂを設けておくことで、室内ユニットをその側壁が部屋の壁際に位置するように配置せざるを得ない場合、切断線１ｂを以て側壁の一部を切除して欠損部１ｃを形成することによって、この欠損部で第１の被挿通部材２を邪魔することなく延長させるようにしたのもので、上記第１〜第８の実施形態に示した配管部材５と相俟って空気調和機の設置に利便性をもたらすことができる。
【００８８】
〔第１０の実施形態〕
図１４は、上記第１〜第８の実施形態に示した配管部材５を使用している空気調和機の室内ユニット１の他の実施形態を示す背面斜視図であり、この室内ユニット１の背面側の側壁１ａには、図１５に示すように第９の実施形態における上記台形状の切断線１ｂに加えて、この切断線１ｂの内側において、該切断線１ｂの一部を共通する四辺形のミシン目からなる切断線１ｄを備えている。
【００８９】
この実施形態では、切断線１ｂを以て側壁１ａを切除することによって、第９の実施形態と同様に側壁１ａに欠損部１ｃを形成することができ、又切断線１ｄを以て側壁１ａを切除することによって、側壁１ａに欠損部１ｅを形成することができるようになっている。この欠損部１ｅは、上記第２の被挿通部材３を挿通させるために利用することができる。図１４は、室内ユニット１を、その背面が家屋の部屋の壁（図示せず）に近接した状態で部屋に設置している状態を示している。
【００９０】
この状態において、室外ユニットより導出され家屋の壁に設けた配管部材５を挿通した第１の被挿通部材２は、家屋の部屋に入った後室内ユニット１の背面に向かって延長され、そして、室内ユニット１の背面に至ったところで該室内ユニット１に接続される。
【００９１】
このとき、上記配管部材５に第１の被挿通部材２と共に第２の被挿通部材３も挿通させている場合には、この第２の被挿通部材３を配管部材５より家屋の部屋に入った後第１の被挿通部材２共々室内ユニット１の背面に向かって延長させ、そして、室内ユニット１の背面に至ったところでほぼ直角に折り曲げて上記側壁１ａ方向に延長させる。
【００９２】
このように第２の被挿通部材３を延長させる際、第２の被挿通部材３は側壁１ａに邪魔されるが、上記切断線１ｄを以て側壁１ａを切除して欠損部１ｅを形成し、これに第２の被挿通部材３を通すことによって該第２の被挿通部材３を室内ユニット１の背面に沿って真っすぐに延長させることができる。そして、部屋内に設置されたテレビジョン受信機に導くことができる。
【００９３】
又、この実施形態では、上記切断線１ｂを以て側壁１ａを切除することによって、第９の実施形態と同様に側壁１ａに欠損部１ｃを形成することができるこから、上記第９の実施形態で示したものと同様の使い方ができる。
【００９４】
【発明の効果】
本発明は上述のように構成されるものであり、配管部材の構造をこの配管部材の貫通穴内を軸方向に沿って延びる複数の挿通路に仕切り、これら各挿通路に異なる被挿通部材を挿通させるようにしたものであるから、各被挿通部材が互いに干渉仕合うことのない配管部材を提供することができる。
【００９５】
また、本発明は上述のように構成されるものであり、配管部材の構造を配管部材の両端開口に着脱自在な蓋体を設け、該蓋体で蓋閉めされるようにしたものであるから、配管部材が使用されないときに、屋外より虫やゴミが侵入するのを防止できる配管部材を提供することができる。
【００９６】
しかも、この蓋体の板面に切断線を設け、該切断線に沿って上記蓋体を２つに切断することによって、それぞれ分割した蓋体部分で２つの挿通路を選択的に蓋閉めするようにしたことで、被挿通部材を挿通していない方の挿通路を分割した蓋体部分の一方で蓋閉めすることにより、この被挿通部材を挿通していない方の挿通路から虫やゴミが侵入するのを防止できる。
【００９７】
又、本発明は上述のように構成されるものであり、室外ユニットより導出した配管パイプ、ドレンホース等の被挿通部材を途中家屋の壁に貫挿した配管部材を挿通させて室内ユニットに接続させるようにした空気調和機において、上記配管部材を複数の挿通路を有する部材で形成し、これら複数の挿通路の一部に上記配管パイプ、ドレンホース等の第１の被挿通部材を挿通させるとともに他の挿通路にアンテナのアンテナ線等の第２の被挿通部材を挿通させるようにしたことによって、複数の被挿通部材を互いに干渉することがないように家屋の壁に挿通された配管部材に独立して挿通させることができることから、配管部材に複数の被挿通部材を容易に挿脱することができる空気調和機を提供することができる。
【００９８】
又、本発明は上述のように構成されるものであり、空気調和機の構造を上記室内ユニットの背面側における側壁の板面に切断線を設け、該切断線を以て上記側壁の板面を切除することによって欠損部を形成し、該欠損部で上記第１の被挿通部材及び／又は第２の被挿通部材を上記側壁を挿通させるようにしたものである。
【００９９】
従って、この発明では、複数の被挿通部材を互いに干渉することがないように家屋の壁に挿通された配管部材に独立して挿通させることができることから配管部材に複数の被挿通部材を容易に挿脱することができる空気調和機を提供することができる。
【０１００】
しかも、本発明の空気調和機では、その室内ユニットの背面側の側壁面に切断線を設け、この切断線を以て側壁の板面を切除することによって欠損部を形成し、この欠損部で第１の被挿通部材及び／又は第２の被挿通部材を側壁を挿通させるようにしているので、室内ユニットの背面側において、該室内ユニットの側壁に邪魔されることなく被挿通部材を延長させることができる。
【図面の簡単な説明】
【図１】本発明の第１の実施形態に係る配管部材を以て第１の被挿通部材及び第２の被挿通部材を家屋の壁面を挿通させた空気調和機の室内ユニットを示す外観斜視図である。
【図２】同上第１の実施形態に係る配管部材に第１の被挿通部材及び第２の被挿通部材を挿通させた状態を示す横断面図である。
【図３】本発明の第２の実施形態に係る配管部材に第１の被挿通部材及び第２の被挿通部材を挿通させた状態を示す横断面図である。
【図４】本発明の第３の実施形態に係る配管部材に第１の被挿通部材及び第２の被挿通部材を挿通させた状態を示す横断面図である。
【図５】本発明の第４の実施形態に係る配管部材に第１の被挿通部材及び第２の被挿通部材を挿通させた状態を示す横断面図である。
【図６】本発明の第５の実施形態に係る配管部材に第１の被挿通部材及び第２の被挿通部材を挿通させた状態を示す横断面図である。
【図７】本発明の第６の実施形態に係る配管部材に第１の被挿通部材及び第２の被挿通部材を挿通させた状態を示す横断面図である。
【図８】本発明の第７の実施形態に係る配管部材に第１の被挿通部材及び第２の被挿通部材を挿通させた状態を示す横断面図である。
【図９】本発明の配管部材に適用される蓋体の正面図である。
【図１０】同上蓋体の背面図である。
【図１１】同上蓋体の側面図である。
【図１２】本発明の配管部材を使用した空気調和機の室内ユニットの実施形態を示す概略背面斜視図である。
【図１３】同上室内ユニットの側壁を示す図である。
【図１４】本発明の配管部材を使用した空気調和機の室内ユニットの他の実施形態を示す概略背面斜視図である。
【図１５】同上室内ユニットの側壁を示す図である。
【図１６】従来の配管部材を以て空気調和機の被挿通部材を家屋の壁面に挿通している状態を示す要部を破断面とした斜視図である。
【図１７】同上従来の配管部材を以て空気調和機の被挿通部材を家屋の壁面に挿通している状態を示す要部横断面図である。
【図１８】同上従来の配管部材に被挿通部材を挿通している状態を示す横断面図である。
【符号の説明】
１    室内ユニット
１ｂ、１ｄ  切断線
２    第１の被挿通部材
３    第２の被挿通部材
４    壁
５    配管部材
５ａ  挿通路
６    補助配管部材
８    蓋体
【図１】
2004162954.tif 000003
【図２】
2004162954.tif 000004
【図３】
2004162954.tif 000005
【図４】
2004162954.tif 000006
【図５】
2004162954.tif 000007
【図６】
2004162954.tif 000008
【図７】
2004162954.tif 000009
【図８】
2004162954.tif 000010
【図９】
2004162954.tif 000011
【図１０】
2004162954.tif 000012
【図１１】
2004162954.tif 000013
【図１２】
2004162954.tif 000014
【図１３】
2004162954.tif 000015
【図１４】
2004162954.tif 000016
【図１５】
2004162954.tif 000017
【図１６】
2004162954.tif 000018
【図１７】
2004162954.tif 000019
【図１８】
2004162954.tif 000020